(57)【要約】【課題】対物レンズと光ディスクとの衝突防止を低コストで実現可能であり、衝突防止部材が光ディスクと衝突しても光ディスクに傷及び汚れが発生し難い光ピックアップを提供する。【解決手段】光ピックアップ１は、光源１１と、光源１１からの光を光ディスク７０の情報記録面７０ａに集光する対物レンズ１７と、対物レンズ１７を保持するレンズホルダ３２と、レンズホルダ３２に設けられて光ディスク７０と対物レンズ１７との衝突を防止する衝突防止部材３６と、を備える。衝突防止部材３６は、三角柱形状のシート部材からなって、前記シート部材の厚み方向の３つの側面３６ｃ、３６ｄ、３６ｅのうちの１つが底面となるようにレンズホルダ３２に配置されている。【選択図】図４
2010282701.tif 000002
【特許請求の範囲】
【請求項１】
光源と、
前記光源からの光を光ディスクの情報記録面に集光する対物レンズと、
前記対物レンズを保持するレンズホルダと、
前記レンズホルダに設けられて、前記光ディスクと前記対物レンズとの衝突を防止する衝突防止部材と、を備える光ピックアップにおいて、
前記衝突防止部材は、三角柱形状のシート部材からなって、前記シート部材の厚み方向の３つの側面のうちの１つが底面となるように前記レンズホルダに配置されていることを特徴とする光ピックアップ。
【請求項２】
前記衝突防止部材の断面形状が直角三角形をなすことを特徴とする請求項１に記載の光ピックアップ。
【請求項３】
前記衝突防止部材は、頂点が前記レンズホルダの外周寄りに配置されていることを特徴とする請求項１または２に記載の光ピックアップ。
【請求項４】
前記対物レンズを挟んで対称的に配置される一対の前記衝突防止部材を少なくとも一組有することを特徴とする請求項１から３のいずれかに記載の光ピックアップ。
【請求項５】
前記レンズホルダには、前記衝突防止部材を挿入する挿入孔を有して前記衝突防止部材を前記レンズホルダ上に固定する固定部が形成されていることを特徴とする請求項１から４のいずれかに記載の光ピックアップ。
【発明の詳細な説明】
【技術分野】
【０００１】
本発明は光ピックアップに関し、詳細には、光源からの光を光ディスクの情報記録面に集光する対物レンズと、光ディスクと、の衝突を防止する衝突防止部材を備える光ピックアップの構成に関する。
【背景技術】
【０００２】
従来、コンパクトディスク（以下、ＣＤという）、デジタル多用途ディスク（以下、ＤＶＤという）、ブルーレイディスク（以下、ＢＤという）といった光ディスクが普及している。このような光ディスクに記録される情報を読み取ったり、光ディスクに情報を書き込んだりするために、光ピックアップが使用される。光ピックアップには、光源と、光源から出射される光を光ディスクの情報記録面に集光する対物レンズと、情報記録面で反射された戻り光を受光する受光部と、が備えられる。
【０００３】
光ピックアップを用いて情報の読み取りや書き込みを行う場合、光ディスクの面振れ等によらず光源から出射される光の焦点が常に光ディスクの情報記録面に合うように、対物レンズの焦点位置を制御する必要がある。このため、光ピックアップでは、対物レンズをレンズホルダで保持し、このレンズホルダをアクチュエータによって光ディスクに対して接離する方向に動かし、対物レンズと光ディスクとの位置関係が常に一定となるように制御している。以下、このような制御をフォーカスサーボ制御と表現する。
【０００４】
ところで、上述のＢＤのような大容量の情報を記録できる光ディスクにおいては、情報が高密度に記録される。このために、光ピックアップを用いて情報の読み出し等を行う場合、光ディスク上に形成する光スポットのスポットサイズを小さくする必要がある。光スポットのスポットサイズを小さくする方法としては、光源から出射される光の波長を短くするとともに、対物レンズの開口数を大きくすることが従来行われる。
【０００５】
対物レンズの開口数を大きくすると、光ピックアップで情報の読み取り等を行う際に、対物レンズ先端と光ディスクとの間隔（ワーキングディスタンス；ＷＤ）が狭くなる傾向があり、ＢＤに対応する光ピックアップにおいてはＷＤが狭くなっている。そして、このようにＷＤが狭くなると、例えば、面ぶれが大きい光ディスクを用いた場合や、光ディスク上に存在する傷や外部からの振動等が原因となってフォーカスサーボ制御ができなくなった場合等に、対物レンズと光ディスクとが衝突する可能性が非常に高くなる。
【０００６】
なお、ＷＤが狭くなる状況は、ＢＤに対応する光ピックアップに限られるわけではなく、例えばＣＤやＤＶＤ等の光ディスクに対応する光ピックアップにおいても起こる場合がある。すなわち、ノートパソコン等においては、薄型化が要求されるために、光ピックアップに備えられる対物レンズは小径のレンズとされる。このような小径の対物レンズを用いる場合にもＷＤが狭くなり、対物レンズと光ディスクとが衝突する可能性が非常に高くなる。
【０００７】
このようなことから、従来の光ピックアップにおいては、対物レンズと光ディスクとの衝突を防止するための衝突防止部材が、対物レンズを保持するレンズホルダに設けられることがある（例えば、特許文献１、２参照）。そして、これによって、対物レンズと光ディスクとの衝突によって光ディスクに記録される情報が使えなくなったり、対物レンズが損傷して光ピックアップが使用できなくなったりするのを防止している。
【先行技術文献】
【特許文献】
【０００８】
【特許文献１】特開２００８−２９３５５１号公報
【特許文献２】特開２００７−３０５１７９号公報
【発明の概要】
【発明が解決しようとする課題】
【０００９】
ところで、上記衝突防止部材は、衝突時に光ディスクに損傷を与えないように、光ディスクと接触した場合に発生する摩擦力が小さいことが要求される。このため、例えば、特許文献１に開示されるように衝突防止部材を山形に形成し、衝突時の接触面積を小さくするのは有効である。しかしながら、特許文献１や２のように衝突防止部材を成型品とする場合、次のような問題がある。
【００１０】
衝突防止部材を成型品からなる構成とする場合、耐摩耗性の材料を用いて衝突防止部材を形成するのが難しくなる。これは、耐摩耗性の材料は加工し難い性質を有するからである。このため、衝突防止部材を成型品とする場合には、衝突防止部材の耐摩耗性の確保が不十分となりやすく、衝突防止部材と光ディスクとが衝突した場合に、光ディスクが汚れ易い傾向にあった。そして、衝突防止部材の磨耗によって光ディスクが汚れると、光ピックアップによる情報の読み取り等が行い難くなって再生特性等に悪影響を及ぼすために問題である。
【００１１】
以上の点を鑑みて、本発明の目的は、対物レンズと光ディスクとの衝突防止を低コストで実現可能であり、衝突防止部材が光ディスクと衝突しても光ディスクに傷及び汚れが発生し難い光ピックアップを提供することである。
【課題を解決するための手段】
【００１２】
上記目的を達成するために本発明は、光源と、前記光源からの光を光ディスクの情報記録面に集光する対物レンズと、前記対物レンズを保持するレンズホルダと、前記レンズホルダに設けられて、前記光ディスクと前記対物レンズとの衝突を防止する衝突防止部材と、を備える光ピックアップにおいて、前記衝突防止部材は、三角柱形状のシート部材からなって、前記シート部材の厚み方向の３つの側面のうちの１つが底面となるように前記レンズホルダに配置されていることを特徴としている。
【００１３】
本構成によれば、衝突防止部材をシート部材からなる構成としているために、衝突防止部材の形状が簡単であり、加工にかかるコストを安価とできる。また、衝突防止部材をシート部材からなる構成としているために、耐摩耗性の材料を用いて容易に衝突防止部材を形成できる。このため、衝突防止部材と光ディスクとが衝突した場合でも、光ディスクに汚れが付着し難い。また、衝突防止部材は、三角柱形状のシート部材であって前記シート部材の厚み方向の３つの側面のうちの１つが底面となるようにレンズホルダに配置される構成であるために、衝突防止部材と光ディスクとの接触面積を小さくできる。このため、衝突防止部材と光ディスクとが衝突した場合でも、光ディスクに損傷が発生し難い。
【００１４】
上記構成の光ピックアップにおいて、前記衝突防止部材の断面形状が直角三角形をなすのが好ましい。これによれば、三角柱形状のシート部材からなる衝突防止部材について、不要部をほとんど発生することなく製造可能であり、光ピックアップの低コスト化を実現可能である。
【００１５】
上記構成の光ピックアップにおいて、前記衝突防止部材は、頂点が前記レンズホルダの外周寄りに配置されているのが好ましい。これは、衝突防止部材の一番高い部分である頂点をレンズホルダの外周寄りに配置すると、対物レンズと光ディスクとが衝突する可能性をより低くできるからである。
【００１６】
上記構成の光ピックアップにおいて、前記対物レンズを挟んで対称的に配置される一対の前記衝突防止部材を少なくとも一組有するのが好ましい。このように衝突防止部材を配置することによって、対物レンズと光ディスクとが衝突する可能性を低減できる。
【００１７】
上記構成の光ピックアップにおいて、前記レンズホルダには、前記衝突防止部材を挿入する挿入孔を有して前記衝突防止部材を前記レンズホルダ上に固定する固定部が形成されているのが好ましい。このような固定部を設けることにより、シート部材からなる衝突防止部材を精度良くレンズホルダに配置できる。
【発明の効果】
【００１８】
本発明の光ピックアップによれば、対物レンズと光ディスクとの衝突防止を低コストで実現可能である。また、本発明の光ピックアップによれば、衝突防止部材と光ディスクとが衝突しても、光ディスクに損傷及び汚れが発生し難い。したがって、本発明の光ピックアップによれば、光ディスクに記録される情報の読み取りの質や、光ディスクへの情報の記録の質を安定した品質とできる。
【図面の簡単な説明】
【００１９】
【図１】本実施形態の光ピックアップの構成を示す概略平面図
【図２】本実施形態の光ピックアップが備える光学系の構成を示す概略図
【図３】本実施形態の対物レンズアクチュエータの構成を説明するための図
【図４】本実施形態の光ピックアップが備える衝突防止部材がレンズホルダ上に固定配置される前の状態を示す概略斜視図
【図５】本実施形態の光ピックアップが備える衝突防止部材がレンズホルダ上に固定配置された状態を示す概略斜視図
【図６】本実施形態の光ピックアップにおける対物レンズと衝突防止部材との関係を説明するための図
【図７】レンズホルダが傾いて衝突防止部材が光ディスクに衝突した場合の状態を示す図
【図８】本実施形態の光ピックアップが備える衝突防止部材の効果を説明するために示した比較用の図
【図９】本実施形態の光ピックアップの構成に関する変形例を説明するための図で、レンズホルダ上に配置される衝突防止部材を上から見た場合の図
【図１０】本実施形態の光ピックアップの変形例を説明するための図
【発明を実施するための形態】
【００２０】
以下、本発明の光ピックアップの実施形態について、図面を参照しながら詳細に説明する。
【００２１】
まず、本実施形態の光ピックアップの概略構成について、図１〜図３を参照しながら説明する。図１は、本実施形態の光ピックアップの構成を示す概略平面図である。図２は、本実施形態の光ピックアップが備える光学系の構成を示す概略図である。図３は、本実施形態の光ピックアップが備える対物レンズアクチュエータの構成を説明するための図で、図３（ａ）は対物レンズアクチュエータの全体構成を示す概略斜視図、図３（ｂ）は対物レンズアクチュエータが備えるコイルの構成を示す概略斜視図である。
【００２２】
図１に示すように、本実施形態の光ピックアップ１はスライドベース２を備える。このスライドベース２には、２種類の軸受け部２ａ、２ｂが設けられる。スライドベース２が、軸受け部２ａ、２ｂを用いて光ディスク（図示せず）の半径方向に延びる２本のガイドシャフト７１（光ピックアップ１とは別に用意される部材である）に摺動可能に支持されることにより、光ピックアップ１は半径方向に移動可能となる。なお、スライドベース２の移動は、図示しない公知の移動機構によって行われる。公知の移動機構の一例として、スライドベース２に取り付けられラックと、モータによって回転されるピニオンと、を用いる構成が挙げられる。
【００２３】
スライドベース２には、図２に示すような光学系が搭載されている。詳細には、スライドベース２上には、光源１１と、回折素子１２と、偏光ビームスプリッタ１３と、１／４波長板１４と、コリメートレンズ１５と、立上げミラー１６と、対物レンズ１７と、シリンドリカルレンズ１８と、光検出器１９と、を含む光学系が搭載されている。なお、対物レンズ１７は、対物レンズアクチュエータ３に搭載された状態でスライドベース２上に搭載されている。
【００２４】
光源１１は半導体レーザから成り、本実施形態の光ピックアップ１が対応する光ディスク７０はＢＤであるため、４０５ｎｍ帯のレーザ光を出射する半導体レーザが用いられる。なお、半導体レーザから出射される光の波長は、光ピックアップが対応する光ディスクの種類によって適宜変更される。回折素子１２は、光源１１から出射されたレーザ光を主光と２つの副光とに分ける。このように光源１１からの光を３つ光に分けるのは、サーボ制御を行う上で必要となる信号を得るためである。
【００２５】
偏光ビームスプリッタ１３は、１／４波長板１４と協働して光アイソレータの役目を果たす。すなわち、偏光ビームスプリッタ１３は、光源１１からのレーザ光については反射して光ディスク７０側へと導くが、光ディスク７０によって反射された戻り光については透過して光検出器１９側へと導く。
【００２６】
コリメートレンズ１５は、入射するレーザ光を平行光へと変換するレンズである。ただし、本実施形態の光ピックアップ１においては、コリメートレンズ１５は光軸方向（図２の左右を指す矢印の方向）に移動可能となっている。このため、光源１１から出射されてコリメートレンズ１５を出射するレーザ光は必ずしも平行光でなく、収束光であったり発散光であったりする。このようにコリメートレンズ１５の位置を調整可能とするのは、コリメートレンズ１５の位置を移動することによって対物レンズ１７に入射するレーザ光の収束状態或いは発散状態を調整して球面収差の補正を行うためである。
【００２７】
なお、コリメートレンズ１５を光軸方向に移動する手法は公知の構成で良い。例えば、コリメートレンズ１５を保持する可動ホルダを、光軸方向に延びるガイドシャフトに沿ってモータとリードスクリュ（いずれも図示せず）とを用いて動かす構成等とすることができる。
【００２８】
立上げミラー１６はコリメートレンズ１５から送られてきたレーザ光を反射する。これにより、光源１１から出射されたレーザ光は、その進行方向が曲げられ、光ディスク７０の情報記録面７０ａと直交する方向に進行する光となる。
【００２９】
対物レンズ１７は、立上げミラー１６から送られてきたレーザ光を光ディスク７０の情報記録面７０ａに集光する。上述のように対物レンズ１７は対物レンズアクチュエータ３に搭載されている。そして、この対物レンズアクチュエータ３によって、対物レンズ１７は、光ディスク７０に接離する方向（図２の上下方向）であるフォーカス方向と、光ディスク７０の半径方向と平行な方向（図２では紙面に対して垂直な方向）であるトラック方向と、に移動可能となっている。
【００３０】
図３を参照して、光ピックアップ１が備える対物レンズアクチュエータ３の構成について説明する。対物レンズアクチュエータ３は、アクトベース３１と、対物レンズ１７を保持するレンズホルダ３２と、を備える。アクトベース３１上には、レンズホルダ３２を挟んで対称配置となるように一対の永久磁石３３が立設されている。また、アクトベース３１には立上げミラー１６で反射されたレーザ光を対物レンズ１７へと導けるように光路孔（図示せず）が形成されている。
【００３１】
レンズホルダ３２には、対物レンズ１７を保持するためのレンズ保持部３２ａと、その詳細は後述する衝突防止部材３６を固定配置するための２つの固定部３７と、が一体的に形成されている。また、レンズホルダ３２には、片側に３本ずつ、両側で計６本となるワイヤ３４の各一端が固定されている。各ワイヤ３４の他端は、アクトベース３１上に立設される回路基板３５に固定され、これにより、レンズホルダ３２はワイヤ３４によって揺動可能に支持された状態となっている。
【００３２】
更に、レンズホルダ３２には、レンズホルダ３２の内部側壁に沿って対物レンズ１７の光軸を取り巻くように配置されるフォーカスコイル３２１と、レンズホルダ３２の外部側壁（永久磁石３３と対向する側壁）の対称位置に、それぞれ２つずつ配置される４つのトラックコイル３２２と、が取り付けられている。これらのコイル３２１、３２２には、ワイヤ３４を介して電流が供給されるようになっている。
【００３３】
フォーカスコイル３２１に電流が流れると、永久磁石３３によって作られる磁界との電磁気的な作用によって、電流が流れる向き及び電流の大きさに応じて、対物レンズ１７はレンズホルダ３２と共にフォーカス方向Ｆに移動する。同様に、トラックコイル３２２に電流が流れると、その向き及び大きさに応じて、対物レンズ１７はレンズホルダ３２と共にトラック方向Ｔに移動する。
【００３４】
図２に戻って、情報記録面７０ａで反射された戻り光は、対物レンズ１７、立上げミラー１６、コリメートレンズ１５、１／４波長板１４、偏光ビームスプリッタ１３の順に通過して、シリンドリカルレンズ１８へと送られる。シリンドリカルレンズ１８は、入射したレーザ光に非点収差を与える。なお、シリンドリカルレンズ１８によって非点収差を与えるのは、サーボ制御を行う上で必要となる信号を得るためである。
【００３５】
シリンドリカルレンズ１８によって非点収差を与えられたレーザ光は光検出器１９の受光領域に集光する。光検出器１９は、受光領域で受光した光信号を電気信号に変化して出力する。光検出器１９から出力された電気信号は処理されて、例えば再生信号、フォーカスエラー信号、トラックエラー信号等となる。
【００３６】
なお、フォーカスエラー信号及びトラックエラー信号に基づいて対物レンズアクチュエータ３を制御して、フォーカスサーボ制御及びトラックサーボ制御といったサーボ制御が行われる。フォーカスサーボ制御は、上述したように、対物レンズ１７と光ディスク７０との位置関係が常に一定となるように行う制御のことである。また、トラックサーボ制御とは、対物レンズ１７に入射した光が集光されてできる光スポットが光ディスク７０に形成されるトラックに常に追随するように行う制御のことである。
【００３７】
本実施形態の光ピックアップ１の概略構成は以上のようであるが、本実施形態の光ピックアップ１は、対物レンズ１７と光ディスク７０との衝突を防止する構成について特徴を有する。以下、これについて詳細に説明する。
【００３８】
光ピックアップ１には、対物レンズ１７と光ディスク７０との衝突を防止できるように、対物レンズアクチュエータ３のレンズホルダ３２上に一対の衝突防止部材３６が配置されている（例えば図３（ａ）参照）。この一対の衝突防止部材３６は、図１及び図３（ａ）に示すように、トラック方向に対物レンズ１７を挟んでほぼ対称的に配置されている。
【００３９】
図４は、本実施形態の光ピックアップが備える衝突防止部材がレンズホルダ上に固定配置される前の状態を示す概略斜視図である。図５は、本実施形態の光ピックアップが備える衝突防止部材がレンズホルダ上に固定配置された状態を示す概略斜視図である。図４に示すように、光ピックアップ１が備える衝突防止部材３６は、２つの三角形状の面３６ａ、３６ｂと３つの矩形面３６ｃ、３６ｄ、３６ｅ（この３つの矩形面は厚み方向の側面に該当する）とを有する三角柱形状のシート部材からなっている。三角形状の面３６ａ、３６ｂを形成する三角形は直角三角形となっている。このため、衝突防止部材３６を構成するシート部材の断面形状は直角三角形をなす。なお、衝突防止部材３６を構成するシート部材の厚みｄは例えば０．５ｍｍ等とされるが、この厚みｄの大きさは適宜変更可能なのは言うまでもない。
【００４０】
衝突防止部材３６を構成するシート部材の材質としては、光ディスク７０との衝突時に、光ディスク７０に対して傷及び汚れをなるべく発生しないものを選択するのが好ましい。具体的には、例えばポリカーボネート等で形成される光ディスク７０の保護層７０ｂ（図２参照；情報記録面７０ａを保護する層）よりも柔らかい材質であることが好ましい。また、光ディスク７０との衝突時に削れないような耐磨耗性を有する材質が好ましい。このような材質を有する材料として、例えば超高分子量ポリエチレン（ＵＨＭＷ−ＰＥ）、ポリアセタール、テトラフルオロエチレン等が挙げられる。本実施形態では、特に好ましい形態として、衝突防止部材３６を構成するシート部材として超高分子量ポリエチレン（ＵＨＭＷ−ＰＥ）を選択している。
【００４１】
この衝突防止部材３６は、上述のようにレンズホルダ３２に一体形成される固定部３７に固定配置される。固定部３７には、シート部材からなる衝突防止部材３６を挿入保持できるように、略直方体形状の挿入孔３７ａが形成されている。また、固定部３７の側面（トラック方向と平行な２つの側面の一方）には、挿入孔３７ａに挿入保持された衝突防止部材３６を接着固定しやすように、側面の上から下まで延びる第１の切り欠き３７ｂが形成されている。なお、本実施形態では第１の切り欠き３７ｂが形成される側面と対向する側面に第２の切り欠き３７ｃが形成されている。これは、衝突防止部材３６を固定部３７に固定配置する際の作業を行い易くするためのものである。
【００４２】
なお、上述のように衝突防止部材３６を２つ設ける構成であるために、固定部３７も２つ設けられている。そして、この２つの固定部３７も、トラック方向に対物レンズ１７を挟んでほぼ対称配置となっている（図１及び図３参照）。
【００４３】
図４及び図５に示されるように、三角柱形状のシート部材からなる衝突防止部材３６は、それが有する３つの矩形面３６ｃ、３６ｄ、３６ｅのうちの１つである矩形面３６ｅが底面となるように固定部３７の挿入孔３７ａに挿入される。そして、衝突防止部材３６は、第１の切り欠き３７ｂの下部側に注入される接着剤３８によって固定部３７に接着固定される。衝突防止部材３６は、固定部３７に接着固定された状態において、衝突防止部材３６の一番高い部分である頂点３６ｐが固定部３７から突出するようになっている。
【００４４】
なお、衝突防止部材３６の固定部３７への接着にあたっては、例えばＵＶ照射により硬化するＵＶ接着剤等が使用される。また、衝突防止部材３６の固定部３７への接着固定にあたっては、ます、衝突防止部材３６は上部（頂点３６ｐ）側、又は、上部及び側面（ここでは三角形状の面３６ｂを指す）側から治具で抑えられた状態とされる。そして、この治具で抑えられた状態でＵＶ接着剤等が注入され、接着剤の硬化が行われる。このように治具で抑えた状態で固定するのは衝突防止部材３６の高さ方向のばらつきを抑制するためである。更に、衝突防止部材３６の固定部３７への取り付けは、レンズホルダ３２にワイヤ３４が取り付けられる前に行うのが、作業性が良く好ましい。
【００４５】
図６は、本実施形態の光ピックアップにおける対物レンズと衝突防止部材との関係を説明するための図である。衝突防止部材３６は対物レンズ１７と光ディスク７０（図２参照）との衝突を防止するものである。このため、図６に示すように、衝突防止部材３６の頂点３６ｐ（一番高い部分を指している）は、対物レンズ１７の先端部よりも所定の高さｈだけ高くなっている。なお、所定の高さｈは実験やシミュレーション等によって適宜決定されるものである。
【００４６】
ところで、本実施形態の光ピックアップ１では、三角柱形状のシート部材からなる衝突防止部材３６を固定部３７に挿入保持するにあたって、衝突防止部材３６の頂点３６ｐがレンズホルダ３２の外周寄りとなるようにしている。この理由について図７を参照しながら説明する。
【００４７】
図７は、レンズホルダが傾いて衝突防止部材が光ディスクに衝突した場合の状態を示す図である。図７において、実線は本実施形態の構成の場合を示し、衝突防止部材３６の頂点３６ｐがレンズホルダ３２の外周寄りとなるように、衝突防止部材３６が固定部３７に固定配置されている場合の図である。また、図７において、破線は本実施形態の構成との比較用に示され、衝突防止部材３６の頂点３６ｐがレンズホルダ３２の中心寄りとなるように、衝突防止部材３６が固定部３７に固定配置されている場合の図である。なお、図７においては、レンズホルダ３２がトラック方向に傾いた状態を示している。
【００４８】
図７に示すように、衝突防止部材３６の頂点３６ｐがレンズホルダ３２の外周寄りに配置されている場合の方が、対物レンズ１７の傾きが小さい段階で衝突防止部材３６が光ディスク７０に衝突する。このため、対物レンズ１７と光ディスク７０とが衝突する可能性を低減しやすく好ましい。したがって、本実施形態の光ピックアップ１では、より好ましい形態として、衝突防止部材３６の頂点３６ｐが外周寄りとなるように、衝突防止部材３６の向きを決めて固定部３７に挿入している。
【００４９】
本実施形態の光ピックアップ１が備える衝突防止部材３６は以上のように形成されるが、以上のように形成することにより、対物レンズ１７と光ディスク７０との衝突を高い確率で防止できることに加えて、以下のような効果がある。
【００５０】
すなわち、本実施形態の光ピックアップ１においては、衝突防止部材３６をシート部材からなる構成としている。このように衝突防止部材３６を簡単な形状としているために、本実施形態の光ピックアップ１では、加工が難しいために従来の構成の衝突防止部材に対しては適用が難しいとされた耐摩耗性の物質を適用して衝突防止部材３６を形成できる。したがって、本実施形態の光ピックアップ１では、衝突防止部材３６と光ディスク７０とが衝突しても、光ディスク７０に汚れが発生し難くなっている。
【００５１】
また、シート部材からなる衝突防止部材３６の形状を三角柱形状としている。このために、衝突防止部材を図８に示すような四角柱形状のシート部材４０とした場合に比べて、光ディスク７０との接触面積を減らすことができる。したがって、衝突防止部材３６と光ディスク７０とが接触した場合でも、両者の間に発生する動摩擦係数を小さくすることでき、光ディスク７０に損傷が発生する可能性を低くできる。また、衝突防止部材３６を構成するシート部材を三角柱形状とすることによって、四角柱形状の場合に比べてシート部材の取り数を２倍とすることが可能であり、光ピックアップ１の製造コストを抑制することも可能である。
【００５２】
なお、図８は、本実施形態の光ピックアップが備える衝突防止部材の効果を説明するために示した比較用の図である。
【００５３】
また、本実施形態の構成では、衝突防止部材３６を固定部３７に挿入して接着剤で固定する構成である。このため、シート部材からなる衝突防止部材３６の底面に粘着材を貼り付けてレンズホルダ３２に固定する場合に比べて、衝突防止部材３６の高さ管理を行い易く、作業性及びコスト面で優れる。なお、一応断っておくが、本発明の範囲には、衝突防止部材３６が粘着材で貼り付けられる場合も含まれる。
【００５４】
以上に示した実施形態は一例であり、本発明の光ピックアップは、上述の実施形態に限定されるものではなく、本発明の目的を逸脱しない範囲で種々の変更が可能である。
【００５５】
例えば、以上に示した実施形態においては、レンズホルダ３２上に２つの衝突防止部材３６を配置する構成としているが、この構成に限定される趣旨ではない。すなわち、衝突防止部材３６の数は１つでも、３つ以上でも構わない。ただし、本実施形態のように、対物レンズ１７を挟んで対称配置となるように、衝突防止部材３６は対にして設けるのが好ましく、２以上の偶数であるのが好ましい。
【００５６】
また、衝突防止部材３６のレンズホルダ３２上の位置についても適宜変更して構わない。図９は、本実施形態の光ピックアップの構成に関する変形例を説明するための図で、レンズホルダ上に配置される衝突防止部材を上から見た場合の図である。図９（ａ）は、本実施形態の構成を示す。
【００５７】
図９（ｂ）は、図９（ａ）に示す状態から衝突防止部材３６の向きを９０度回転した状態を示す。すなわち、図９（ｂ）では、衝突防止部材３６の三角形状の面３６ａ、３６ｂ（図４参照）がトラック方向に対して垂直な方向となっている。図９（ｂ）に示す例では、２つの衝突防止部材３６は、それぞれの頂点３６ｐ（一番高い部分）が対物レンズ１７の中心Ｏを挟んで対称位置となっている。なお、図９（ｂ）のように配置する場合でも、衝突防止部材３６の頂点３６ｐはレンズホルダ３２の外周寄りに配置する（この構成では、単に衝突防止部材３６全体をレンズホルダ３２の外周寄りに配置することを意味する）のが好ましい。
【００５８】
図９（ｃ）は、衝突防止部材３６の向きは図９（ａ）の場合と同様として、略矩形状のレンズホルダ３２の４つの角（かど）のうち、対角をなす２つに角近傍に衝突防止部材３６を配置したものである。図９（ｃ）の破線は、衝突防止部材３６の代替位置を示している。また、４つの角全てに、衝突防止部材３６を設けても勿論構わない。
【００５９】
なお、図９では、衝突防止部材３６を固定する固定部は省略して示している。固定部は、衝突防止部材３６の配置変更に伴って、当然、本実施形態の場合から形状や位置が変更される。
【００６０】
また、以上に示した実施形態では、三角柱状のシート部材からなる衝突防止部材３６の断面形状が直角三角形をなすこととした。しかし、断面形状は、三角形をなせばよく、直角三角形をなさなくてもよい。ただし、衝突防止部材３６の断面形状が直角三角形をなすこととした方が、不要部をほとんど排出せずに、無駄なく衝突防止部材を製造可能である。また、衝突防止部材３６の頂点（一番高い部分）をレンズホルダ３２の外周寄りに配置し易い。
【００６１】
また、以上に示した実施形態においては、対物レンズアクチュエータ３の構成として、レンズホルダ３２がワイヤ３４に支持され、このワイヤ３４の揺動によってレンズホルダ３２が移動される構成（ワイヤ支持方式の対物レンズアクチュエータ）とした。しかし、光ピックアップが備える対物レンズアクチュエータの構成は、この構成に限定されない。例えば、図１０に示すような、いわゆる軸摺動型の対物レンズアクチュエータ１００等としてもよい。この場合にも、本実施形態と同様の構成の衝突防止部材を設けることによって、同様の効果が得られる。
【００６２】
なお、図１０に示す対物レンズアクチュエータ１００は、ベース１０１と、摺動軸１０２と、対物レンズ１０５を保持するレンズホルダ１０３と、フォーカスコイル１０４と、を備える。そして、この対物レンズアクチュエータ１００では、図示しない永久磁石の磁界と、フォーカスコイルを流れる電流と、の間における電磁力作用によって、摺動軸１０２の長手方向と平行な方向に力が発生するようになっている。そして、これにより、フォーカス調整が可能となっている。
【００６３】
その他、以上に示した実施形態では、光ピックアップは、一種類の光ディスクに対応するものとした。しかし、本発明は、当然、複数種類の光ディスクに対応する光ピックアップ（このような光ピックアップには、複数の対物レンズを搭載するレンズホルダを備えるものも含む）にも適用できる。また、光ピックアップが対応する光ディスクの種類についても本実施形態の構成に限定されないのは言うまでもない。
【産業上の利用可能性】
【００６４】
本発明の光ピックアップによれば、衝突防止部材によって対物レンズと光ディスクとの衝突を防止できる。また、衝突防止部材と光ディスクとが衝突しても、光ディスクに傷や汚れが発生する可能性が低い。また、そのような衝突防止部材を低コストで設けることができる。従って、本発明は光ピックアップに好適な技術である。
【符号の説明】
【００６５】
１  光ピックアップ
１１  光源
１７  対物レンズ
３２  レンズホルダ
３６  衝突防止部材
３６ｃ、３６ｄ、３６ｂ  矩形面（厚み方向の側面）
３６ｐ  頂点
３７  固定部
３７ａ  挿入孔
７０  光ディスク
７０ａ  情報記録面
【図１】
2010282701.tif 000003
【図２】
2010282701.tif 000004
【図３】
2010282701.tif 000005
【図４】
2010282701.tif 000006
【図５】
2010282701.tif 000007
【図６】
2010282701.tif 000008
【図７】
2010282701.tif 000009
【図８】
2010282701.tif 000010
【図９】
2010282701.tif 000011
【図１０】
2010282701.tif 000012